(57)【特許請求の範囲】
【請求項１】
端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられたインナーハウジングと、前記インナーハウジングが内部に組み込まれるシールド端子と、を有してなるシールドコネクタにおいて、
前記インナーハウジングは、
前記複数の端子収容室が、上下２段に設けられ、上段の前記端子収容室の上面に、下段の前記端子収容室の前記インナー端子の端子挿入口側となる一端面から対向する他端面を構成する壁まで内部に前記インナー端子を収容可能に開放された上段側端子収容用開口が設けられている
ことを特徴とするシールドコネクタ。
【請求項２】
前記インナー端子は、
接続相手となる相手端子が接続される円筒状の相手端子接続部
を有してなることを特徴とする請求項１に記載のシールドコネクタ。
【請求項３】
端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられ、該複数の端子収容室が上下２段に設けられ、上段の前記端子収容室の上面に、下段の前記端子収容室の前記インナー端子の端子挿入口側となる一端面から対向する他端面を構成する壁まで内部に前記インナー端子を収容可能に開放された上段側端子収容用開口が設けられているインナーハウジングと、前記インナーハウジングが内部に組み込まれるシールド端子と、を有してなるシールドコネクタの組立方法であって、
前記複数の電線のうち、前記インナーハウジングの上段の前記端子収容室に収容される前記インナー端子が取り付けられた前記電線を上方に屈曲する電線屈曲工程と、
前記電線屈曲工程にて上方に屈曲されず直線状の状態の前記電線に取り付けられた前記インナー端子を前記端子挿入口から挿入することによって下段の前記端子収容室に収容する下段端子収容工程と、
前記電線屈曲工程にて前記上方に屈曲された電線を上方に屈曲された状態から屈曲されていない直線状の状態に戻しつつ、前記上段側端子収容用開口から上段の前記端子収容室に前記インナー端子を収容する上段端子収容工程と、
を含むことを特徴とするシールドコネクタの組立方法。
【請求項４】
前記電線屈曲工程の前に、前記インナーハウジングの下段の前記端子収容室に収容される前記インナー端子を取り付ける前記電線を下方に屈曲させた状態で、前記インナーハウジングの上段の前記端子収容室に収容される前記インナー端子を下方に屈曲させていない前記電線に取り付ける上段端子取付工程と、
前記電線屈曲工程と、前記下段端子収容工程との間に、前記インナーハウジングの下段の前記端子収容室に収容される前記インナー端子を取り付ける前記下方に屈曲された電線を直線状に戻してから前記インナー端子を取り付ける下段端子取付工程と、
を含むことを特徴とする請求項３に記載のシールドコネクタの組立方法。
【発明の詳細な説明】
【技術分野】
【０００１】
本発明は、シールド電線の複数のインナー端子のそれぞれを収容する複数の端子収容室が設けられたインナーハウジングと、インナーハウジングが内部に組み込まれるシールド端子と、を有してなるシールドコネクタおよびシールドコネクタの組立方法に関する。
【背景技術】
【０００２】
従来、自動車等に搭載されるカーナビゲーション等の各種電装品の制御部に高周波の電気信号を伝送するため、高周波対応のシールド電線が用いられている。
シールド電線は、導電材からなる導体部の外周を被覆した絶縁被覆の外周をシールド層で覆った構造になっており、外表面に配置されたシールド層が外部からの電気的な影響を遮断することによって高周波の伝搬を可能としている。
【０００３】
また、シールド電線には、複数の電線をシールド材および絶縁材を含む被覆材で外周を覆うことによって束ねたものがある。
このように複数の電線を被覆材によって束ねたシールド電線の電気的な接続にはシールドコネクタが用いられる。
シールドコネクタは、各電線の端末部に取り付けられたインナー端子のそれぞれを収容する複数の端子収容室が設けられたインナーハウジングと、インナーハウジングが内部に組み込まれるシールド端子と、を有してなる。
【０００４】
ところで、複数の電線を被覆材によって束ねたシールド電線のような複合ケーブルと称されるものは、被覆材から露出される各電線の長さが短い場合、各電線の端末部に取り付けられた端子を端子収容室に収容し難いという問題があった。
特に、シールド電線は、電磁シールド効果を低下させないために、シールド材を含む被覆材からの露出が少なくなるように、被覆材から露出される各電線の長さが短くなるように調整している。
【０００５】
このため特許文献１および特許文献２には、複合ケーブルの端末部の被覆材が除去されることによって露出された各電線の長さが短い場合であっても、各電線の端末部に取り付けられた端子を対応する端子収容室に容易に収容することができる技術が提案されている。
【０００６】
特許文献１に記載のコネクタは、クリンピングターミナル（端子）をそれぞれハウジングの側部に装着した後に複数のクリンピングターミナル（端子）を一括してケースに装着できるようにしたので、クリンピングターミナル（端子）の圧着部から複合ケーブルのキャプタイヤの端末部（被覆材の端末部）までの余長を短くすることができるようになっている。
【０００７】
特許文献２に記載のシールドコネクタおよびシールドコネクタの組立方法は、分割したインナーハウジングの端子収容室には、複数の少ない端子群ごとに端子をそれぞれ挿入することができるので、の端末部の被覆材が除去されることによって露出された各電線の長さが短い場合でも各端子の対応する端子収容室への挿入作業が容易に行うことができるようになっている。
【先行技術文献】
【特許文献】
【０００８】
【特許文献１】特開２００９−２８３３２５号公報
【特許文献２】特開２０１３−２５９５６号公報
【発明の概要】
【発明が解決しようとする課題】
【０００９】
しかしながら、特許文献１に記載されたコネクタは、キャプタイヤ端末部から露出された各電線を分岐の中心位置を中心に広げ、かつ、係着部の先端が被係着部に挿入されるように屈曲させなければならず、端子セットに係る工数が増加し、組立工程が複雑になってしまうため、結果的に、組立工程の自動化が難しくなってしまうという問題があった。
また、特許文献２に記載されたシールドコネクタおよびシールドコネクタの組立方法は、インナーハウジングが、アッパーインナーハウジングと、ロアーインナーハウジングとに分割されているため、端子の挿入時にはこれらを分離し、端子の挿入完了後にはこれらを合体させなければならず、組立工程が煩雑になり、結果的に、組立工程の自動化が難しくなってしまうという問題があった。
【００１０】
本発明は、上記に鑑みてなされたものであって、組立工程の自動化を容易に行うことができるシールドコネクタ、および、シールドコネクタの組立方法を提案することを目的とする。
【課題を解決するための手段】
【００１１】
上述した課題を解決し、目的を達成するために、本発明の請求項１に係るシールドコネクタは、端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられたインナーハウジングと、前記インナーハウジングが内部に組み込まれるシールド端子と、を有してなるシールドコネクタにおいて、前記インナーハウジングは、前記複数の端子収容室が上下２段に設けられ、上段の前記端子収容室の上面に、下段の前記端子収容室の前記インナー端子の端子挿入口側となる一端面から対向する他端面を構成する壁まで内部に前記インナー端子を収容可能に開放された上段側端子収容用開口が設けられていることを特徴とする。
【００１２】
また、本発明の請求項２に係るシールドコネクタは、前記インナー端子が、接続相手となる相手端子が接続される円筒状の相手端子接続部を有してなることを特徴とする。
【００１３】
上述した課題を解決し、目的を達成するために、本発明の請求項３に係るシールドコネクタの組立方法は、端末部にインナー端子が取り付けられた複数の電線をシールド材および絶縁材を含む被覆材で外周を覆うことによって束ねられてなるシールド電線の前記インナー端子のそれぞれを収容する複数の端子収容室が設けられ、該複数の端子収容室が上下２段に設けられ、上段の前記端子収容室の上面に、下段の前記端子収容室の前記インナー端子の端子挿入口側となる一端面から対向する他端面を構成する壁まで内部に前記インナー端子を収容可能に開放された上段側端子収容用開口が設けられているインナーハウジングと、前記インナーハウジングが内部に組み込まれるシールド端子と、を有してなるシールドコネクタの組立方法であって、前記複数の電線のうち、前記インナーハウジングの上段の前記端子収容室に収容される前記インナー端子が取り付けられた前記電線を上方に屈曲する電線屈曲工程と、前記電線屈曲工程にて上方に屈曲されず直線状の状態の前記電線に取り付けられた前記インナー端子を前記端子挿入口から挿入することによって下段の前記端子収容室に収容する下段端子収容工程と、前記電線屈曲工程にて前記上方に屈曲された電線を上方に屈曲された状態から屈曲されていない直線状の状態に戻しつつ、前記上段側端子収容用開口から上段の前記端子収容室に前記インナー端子を収容する上段端子収容工程と、を含むことを特徴とする。
【００１４】
また、本発明の請求項４に係るシールドコネクタの組立方法は、前記電線屈曲工程の前に、前記インナーハウジングの下段の前記端子収容室に収容される前記インナー端子を取り付ける前記電線を下方に屈曲させた状態で、前記インナーハウジングの上段の前記端子収容室に収容される前記インナー端子を下方に屈曲させていない前記電線に取り付ける上段端子取付工程と、前記電線屈曲工程と、前記下段端子収容工程との間に、前記インナーハウジングの下段の前記端子収容室に収容される前記インナー端子を取り付ける前記下方に屈曲された電線を直線状に戻してから前記インナー端子を取り付ける下段端子取付工程と、を含むことを特徴とする。
【発明の効果】
【００１５】
本発明の請求項１に係るシールドコネクタは、上段の前記端子収容室に収容する前記インナー端子が取り付けられた前記電線を上方に屈曲させた状態で、下段の前記端子収容室に前記インナーハウジングの一端面の前記端子挿入口から前記インナー端子を前記電線を略直線状にして収容することができ、下段の前記端子収容室に前記インナー端子を収容した後には、上方に屈曲された電線を屈曲されていない直線状の状態に戻しつつ、前記上段側端子収容用開口から上段の前記端子収容室に前記インナー端子を収容することができるので、前記電線が前記被覆材から露出された部分の長さが短くても複雑な工程を行うことなく、下段の前記端子収容室に収容する前記インナー端子が取り付けられた各電線を直線状の状態で前記インナー端子を対応する前記下段の端子収容室に収容することができ、上段の前記端子収容室に収容する前記インナー端子が取り付けられた各電線を同方向、かつ、１箇所のみ屈曲させるだけで、前記インナー端子を対応する上段の前記端子収容室に収容することができるので、結果的に、組立工程の自動化を容易に行うことができる。
【００１６】
本発明の請求項２に係るシールドコネクタは、前記インナー端子の前記相手端子接続部が円筒状をなしているので、前記相手端子接続部の外周方向の方向性を気にせず前記複数のインナー端子を対応する前記端子収容室に収容することができるので、結果的に、組立工程の自動化を容易に行うことができる。
【００１７】
本発明の請求項３に係るシールドコネクタの組立方法は、前記電線屈曲工程にて、前記複数の電線のうち、前記インナーハウジングの上段の前記端子収容室に収容される前記インナー端子が取り付けられた前記電線を上方に屈曲した状態で、下段端子収容工程にて上方に屈曲されず直線状の状態の前記電線に取り付けられた前記インナー端子を前記端子挿入口から挿入することによって下段の前記端子収容室に収容することができ、前記上段端子収容工程にて、前記電線屈曲工程にて前記上方に屈曲された電線を上方に屈曲された状態から屈曲されていない直線状の状態に戻しつつ、前記上段側端子収容用開口から上段の前記端子収容室に前記インナー端子を収容することができるので、前記電線が前記被覆材から露出された部分の長さが短くても複雑な工程を行うことなく、前記上段の端子収容室に収容する前記インナー端子が取り付けられた各電線を同方向、かつ、１箇所のみ屈曲させるだけで、前記複数のインナー端子を対応する前記端子収容室に収容することができ、結果的に、組立工程の自動化を容易に行うことができる。
【００１８】
本発明の請求項４に係るシールドコネクタの組立方法は、前記上段端子取付工程にて、下段の前記端子収容室に収容される前記インナー端子を取り付ける前記電線を下方に屈曲させ、前記電線屈曲工程にて、上段の前記端子収容室に収容される前記インナー端子が取り付けられた前記電線を上方に屈曲させ、前記下段端子取付工程にて、前記下方に屈曲された電線を直線状に戻し、前記上段端子収容工程にて、前記上方に屈曲された電線を上方に屈曲された状態から屈曲されていない直線状の状態に戻すという、各電線を同方向、かつ、１箇所のみ屈曲させる動作を繰り返すだけで、前記複数の電線の端末部に前記インナー端子を取り付け、前記複数のインナー端子を対応する前記端子収容室にそれぞれ収容するという一連の動作を可能にしているので、結果的に、組立工程の自動化を容易に行うことができる。
【図面の簡単な説明】
【００１９】
【図１】図１は、本発明の実施例に係るシールドコネクタを組み込んだ車載カメラの分解斜視図である。
【図２】図２は、（ａ）が、アウターハウジングの電線引き出し口側から視た車載カメラの斜視図であり、（ｂ）が、車載カメラの側面図である。
【図３】図３は、（ａ）が、相手端子挿入口側から視たインナーハウジングの斜視図であり、（ｂ）が端子挿入口側から視たインナー端子の斜視図であり、（ｃ）が（ｂ）に示したインナーハウジングの部分断面図である。
【図４】図４は、図１に示したシールド電線の拡大図である。
【図５】図５は、（ａ）が、端末部の各被覆材が除去され、編組を絶縁被覆材の外周に折り返した状態で４本の電線が露出され、各電線の端末部の導体部が露出された状態になっているシールド電線の斜視図であり、（ｂ）が、端末部に露出された４本の電線のうち、２本の電線を下方に屈曲させた状態のシールド電線の斜視図である。
【図６】図６は、（ｃ）が、下方に屈曲していない２本の電線の端末部にインナー端子が取り付けられた状態のシールド電線の斜視図であり、（ｄ）が、金型によって２本の電線の端末部にインナー端子を取り付けることを説明するための図である。
【図７】図７は、（ｅ）が、インナー端子が取り付けられた２本の電線を上方に屈曲するとともに、下方に屈曲された２本の電線を屈曲されていない状態に戻した状態のシールド電線の斜視図であり、（ｆ）が、屈曲されていない状態に戻された２本の電線の端末部にインナー端子を取り付けた状態のシールド電線の斜視図である。
【図８】図８は、（ｇ）が、下段の端子収容室にインナー端子を収容した状態を示した図であり、（ｈ）が、上段の端子収容室にインナー端子を収容することによって、全てのインナー端子を対応する端子収容室に収容した状態を示した図である。
【図９】図９は、インナーハウジングにシールド端子を取り付ける様子を説明するための図である。
【図１０】図１０は、インナーハウジングにシールド端子が取り付けられた状態を示した図である。
【発明を実施するための形態】
【００２０】
以下、図面を参照して、本発明に係るシールドコネクタおよびシールドコネクタの組立方法の好適な実施例を詳細に説明する。
【実施例】
【００２１】
図１は、本発明の実施例に係るシールドコネクタ１０を組み込んだ車載カメラ１００の分解斜視図である。図２は、（ａ）が、アウターハウジング３０の電線引き出し口３０ａ側から視た車載カメラ１００の斜視図であり、（ｂ）が、車載カメラ１００の側面図である。図３は、（ａ）が、相手端子挿入口１２側から視たインナーハウジング１０の斜視図であり、（ｂ）が端子挿入口１３側から視たインナー端子６０の斜視図であり、（ｃ）が（ｂ）に示したインナーハウジング１０の部分断面図である。図４は、図１に示したシールド電線４０の拡大図である。
本発明の実施例に係るシールドコネクタ１は、例えば、車載カメラ１００の電気的な接続に用いられるものである。
このため、シールドコネクタ１は、図２に示すように、不図示のカメラ機能部品が収容された接続相手コネクタ１１０とコネクタ嵌合されることによって車載カメラ１００を構成するようになっている。
【００２２】
シールドコネクタ１は、端末部にインナー端子６０が取り付けられた複数の電線５０をシールド材および絶縁材を含む被覆材４１で外周を覆うことによって束ねられてなるシールド電線４０のインナー端子６０のそれぞれを収容する複数の端子収容室１１が設けられたインナーハウジング１０と、インナーハウジング１０の外周を覆うようにインナーハウジングに取り付けられるシールド端子２０と、シールド端子２０が取り付けられた状態のインナーハウジング１０を内部に収容し、接続相手コネクタ１１０とのコネクタ嵌合部分が設けられたアウターハウジング３０と、を有してなる。
なお、アウターハウジング３０の後端部開口にはホルダー３５によって防水シール部材としてのゴム栓３６が固定されるようになっている。
【００２３】
このようなシールドコネクタ１は、接続相手コネクタ１１０との間にパッキン１４０が配置されることによって接続相手コネクタ１１０と防水可能にコネクタ嵌合されるようになっている。
【００２４】
シールド電線４０は、複数の電線５０が多層の被覆材４１によって覆われることによって構成されている。
このシールド電線４０は、より具体的には、図２（ａ）に示すように、４本の電線５０が束ねられるようにして金属箔４１ａで覆われ、その金属箔４１ａの外周がさらに導電性の材料で編み込まれた編組４１ｂによって覆われ、さらに編組４１ｂの外周が絶縁被覆材４１ｃで覆われることによって構成されている。
【００２５】
また、シールド電線４０は、図４に示すように、４本の電線５０が端末部に露出され、その露出された各電線５０の端末部にインナー端子６０が圧着されている。
より具体的には、シールド電線４０は、端末部の絶縁被覆材４１ｃが除去され、絶縁被覆材４１ｃの下層に露出された編組４１ｂが絶縁被覆材４１ｃの外周に重なるように折り返され、編組４１ｂの下層に露出された金属箔４１ａが除去されることによって、各電線５０が被覆材４１から露出される。この露出された各電線５０の端末部の絶縁被覆材５２が除去されて導体部５１が露出された状態で、各電線５０の端末部にインナー端子６０が取り付けられている。
なお、各電線５０が被覆材４１から露出される長さは、金属箔４１ａ、あるいは、編組４１ｂによる電磁シールド効果を低下させないため、短めに調整されている。
【００２６】
インナー端子６０は、雌端子であり、接続相手コネクタ１１０の接続相手端子が接続される円筒状の相手端子接続部６１と、電線５０に圧着される圧着部６２と、相手端子接続部６１と圧着部６２との間を底壁が連続するように繋ぐ繋ぎ部６３と、を有してなる。
【００２７】
インナーハウジング１０は、図３に示すように、絶縁性の樹脂材からなるブロック状をなし、４つの端子収容室１１が上下２段に設けられ、上段の端子収容室１１Ｕの上面に、下段の端子収容室１１Ｌのインナー端子６０の端子挿入口１３側となる一端面から対向する他端面を構成する壁まで内部にインナー端子６０を収容可能に開放された上段側端子収容用開口１４が設けられている。
【００２８】
より具体的には、インナーハウジング１０は、底壁１０ａと、底壁１０ａの両側端部に立設された１対の側壁１０ｂ、１０ｂと、底壁１０ａの接続相手端子と接続される側の端部に立設された前端壁１０ｃと、によって外壁が構成され、外郭が略直方体形状になっている。
また、これら底壁１０ａと、１対の側壁１０ｂ、１０ｂと、前端壁１０ｃとによって形成された空間内は、上下方向および横方向それぞれに空間を二分するように隔壁１０ｄが設けられることによって、上下２段にそれぞれ２つずつ端子収容室１１が設けられるようになっている。
【００２９】
前端壁１０ｃには、接続相手端子が各端子収容室１１に収容されたインナー端子６０に接続できるように相手端子挿入口１２が各端子収容室１１に対応した位置に設けられている。
【００３０】
下段の２つの端子収容室１１（以下、上段の端子収容室と区別する場合、符号を「１１Ｌ」とする。）は、底壁１０ａと、側壁１０ｂと、前端壁１０ｃと、隔壁１０ｄと、によって、インナー端子６０が収容可能な空間が形成れ、前端壁１０ｃに対向する端面にインナー端子６０の端子挿入口１３が設けられている。
【００３１】
上段の２つの端子収容室１１（以下、下段の端子収容室と区別する場合、符号を「１１Ｕ」とする。）は、側壁１０ｂと、前端壁１０ｃと、隔壁１０ｄと、によって、インナー端子６０が収容可能な空間が形成れ、下段の端子収容室１１Ｌのインナー端子６０の端子挿入口１３側となる一端面から対向する他端面を構成する壁（前端壁）１０ｃまで内部にインナー端子６０を収容可能に開放された上段側端子収容用開口１４が設けられている。
【００３２】
また、各端子収容室１１には、インナー端子６０を端子収容室１１内の所定位置に保持する端子保持部１５が設けられている。
端子保持部１５は、図３（ｃ）に示すように、インナー端子６０の相手端子接続部６１が配置される位置で、端子収容室１１内空間の横方向の幅を狭くするように端子収容室１１の内部両側面が段状に内側に突出された段差壁部１５ａと、この段差壁部１５ａに相手端子接続部６１の外周に対応するように曲面形状に凹みが形成された曲面状凹部１５ｂと、を有してなる。
【００３３】
このような端子保持部１５は、端子挿入口１３から下段の端子収容室１１Ｌに挿入されたインナー端子６０の相手端子接続部６１を相手端子挿入口１２から挿入された接続相手端子に接続させる位置に位置決めする機能をなすとともに、接続相手端子と端子収容室１１Ｌ内面との隙間を小さくすることによって、インナー端子６０が端子挿入口１３から抜け出し難くする機能をなしている。
【００３４】
また、端子保持部１５は、上段側端子収容用開口１４から上段の端子収容室１１Ｕに挿入されたインナー端子６０を相手端子挿入口１２から挿入された接続相手端子に接続させる位置に位置決めする機能をなすとともに、接続相手端子と端子収容室１１Ｕ内面との隙間を少なくすること、および、曲面状凹部１５ｂの上端縁面を引っ掛かり部分としてインナー端子６０が上段側端子収容用開口１４から抜け出し難くする機能をなしている。
【００３５】
シールド端子２０は、インナーハウジング１０の外周を覆いつつ、シールド電線４０の露出された編組４１ｂに接続される端子であり、板状金属部材がプレス加工等を施されることによって所定の形状に形成される。
このシールド端子２０は、図１に示すように、インナーハウジング１０の外周を覆う部分となるシールド端子本体２１と、シールド電線４０の編組４１ｂに圧着される部分となるシールド圧着部２２と、を有してなる。
【００３６】
シールド端子本体２１は、インナーハウジング１０の外郭に対応した略角筒状でインナーハウジング１０の外周を覆い、筒内の所定位置にインナーハウジング１０が係止されるようになっている。
【００３７】
シールド圧着部２２は、シールド端子本体２１の底壁に連続した連結部を介してシールド端子本体２１と底壁で連結され、一対のバレル片２２ａ、２２ａが底壁の両側から起立するように設けられている。
この一対のバレル片２２ａ、２２ａがシールド電線４０の露出された編組４１ｂに圧着されるようになっている。
【００３８】
アウターハウジング３０は、絶縁性の樹脂材からなり、インナーハウジング１０に取り付けられたシールド端子２０の外周を囲うようにフード状に形成されたフード部３１と、電線引き出し口３０ａを防水可能に封止するためのゴム栓３６を保持収容するシール部材保持収容部３２と、ホルダー３５をロックするホルダーロック部３３と、接続相手コネクタ１１０の後述するコネクタ部１２０に設けられた被ロック部１２１にロックするロックアーム部３４と、を有してなる。
【００３９】
このようなアウターハウジング３０は、シールド端子２０を取り付けた状態のインナーハウジング１０がフード部３１内に収容され、シール部材保持収容部３２にゴム栓３６がセットされた状態で、ホルダー３５が電線引き出し口３０ａ側から装着されるようになっている。
【００４０】
ここで、接続相手コネクタ１１０について説明する。
接続相手コネクタ１１０は、図２に示すように、シールドコネクタ１とコネクタ嵌合される部分となるコネクタ部１２０と、不図示のカメラ機能部品が収容される部分となるカメラ収容部１３０と、を有してなる。
【００４１】
コネクタ部１２０は、筒状をなし、嵌合口に先端を向けるようにして、インナー端子６０に接続される不図示の複数の接続相手端子が保持収容されている。なお、接続相手端子は、雌型のインナー端子６０に対応した雄型の端子である。
このコネクタ部１２０は、アウターハウジング３０のロックアーム部３４がロックする被ロック部１２１が設けられている。
【００４２】
カメラ収容部１３０は、カメラ機能部品を取り付ける部品取付部１３１と、レンズを含んで部品取付部１３１を囲うカメラカバー部１３２と、を有してなる。
【００４３】
次に、図５−図１０を用いて、シールドコネクタの組立手順について説明する。
図５は、（ａ）が、端末部の各被覆材４１が除去され、編組４１ｂを絶縁被覆材４１ｃの外周に折り返した状態で４本の電線５０が露出され、各電線５０の端末部の導体部５１が露出された状態になっているシールド電線４０の斜視図であり、（ｂ）が、端末部に露出された４本の電線５０のうち、２本の電線５０を下方に屈曲させた状態のシールド電線４０の斜視図である。図６は、（ｃ）が、下方に屈曲していない２本の電線５０の端末部にインナー端子６０が取り付けられた状態のシールド電線４０の斜視図であり、（ｄ）が、加締装置２００によって２本の電線５０の端末部にインナー端子６０を取り付けることを説明するための図である。図７は、（ｅ）が、インナー端子６０が取り付けられた２本の電線５０を上方に屈曲するとともに、下方に屈曲された２本の電線５０を屈曲されていない状態に戻した状態のシールド電線４０の斜視図であり、（ｆ）が、屈曲されていない状態に戻された２本の電線５０の端末部にインナー端子６０を取り付けた状態のシールド電線４０の斜視図である。図８は、（ｇ）が、下段の端子収容室１１Ｌにインナー端子６０を収容した状態を示した図であり、（ｈ）が、上段の端子収容室１１Ｕにインナー端子６０を収容することによって、全てのインナー端子６０を対応する端子収容室１１に収容した状態を示した図である。図９は、インナーハウジング１０にシールド端子２０を取り付ける様子を説明するための図である。図１０は、インナーハウジング１０にシールド端子が取り付けられた状態を示した図である。
【００４４】
このシールドコネクタ１の組立作業は、例えば、不図示の自動機によって行われる。
この組立作業の前処理として、シールド電線４０は、端末部の各被覆材４１が除去され、編組４１ｂを絶縁被覆材４１ｃの外周に折り返した状態で４本の電線５０が露出され、各電線５０の端末部の導体部５１が露出された状態になっている。（図５（ａ）参照）。
なお、この前処理についても自動機よって行うようにしても構わない。
【００４５】
まず、自動機は、シールド電線４０の端末部に露出された４本の電線５０のうち、２本の電線５０を下方に屈曲させる（図５（ｂ）参照）。
ここでは、２本の電線５０を同方向、かつ、１箇所のみ屈曲させているので、電線５０が被覆材４１から露出された部分の長さが短くても複雑な工程を行うことなく電線５０を容易に屈曲させることができる。
【００４６】
次に、自動機は、下方に屈曲していない２本の電線５０の端末部にインナー端子６０を取り付ける（図６（ｃ）参照）。
２本の電線５０の端末部にインナー端子６０を取り付ける場合、インナー端子６０は、いわゆるクリンパ２１０、アンビル２２０と称される加締装置２００によって圧着部６２が電線５０に圧着される。
ここで、２本の電線５０は、加締装置２００に対応したピッチで整列され、インナー端子６０の電線５０への圧着加工が同時に施される（図６（ｄ）参照）。
このように２本の電線５０の端滅部にインナー端子６０が圧着加工される際、インナー端子６０が圧着されない残りの２本の電線５０が下方に屈曲されているため、加工の邪魔にならないようになっている。
なお、上下２段の４つの端子収容室１１に収容される４つのインナー端子６０のうち、この工程で２本の電線５０の端末部にそれぞれ取り付けられた２つのインナー端子６０は、上段の２つの端子収容室１１Ｕに収容されるものである。
【００４７】
次に、自動機は、インナー端子６０が取り付けられた２本の電線５０を上方に屈曲するとともに、下方に屈曲された２本の電線５０を屈曲されていない状態に戻す（図７（ｅ）参照）。
ここで、４本の電線５０のうち、インナーハウジング１０の上段の端子収容室１１Ｕに収容されるインナー端子６０が取り付けられた２本の電線５０が上方に屈曲される。
また、４本の電線５０のうち、インナーハウジング１０の下段の端子収容室１１Ｌに収容されるインナー端子６０が取り付けられた２本の電線５０が屈曲されていない直線状の状態に戻されている。
【００４８】
次に、自動機は、屈曲されていない状態に戻された２本の電線５０の端末部にインナー端子６０を取り付ける（図７（ｆ）参照）。
ここで、２本の電線５０は、既にインナー端子６０が取り付けられた２本の電線５０と同様にしてインナー端子６０が取り付けられる。
このように２本の電線５０の端滅部にインナー端子６０が圧着加工される際、インナー端子６０が既に圧着された残りの２本の電線５０が上方に屈曲されているため、加工の邪魔にならないようになっている。
なお、ここで２本の電線５０の端末部にそれぞれ取り付けられた２つのインナー端子６０は、下段の２つの端子収容室１１Ｌに収容されるものである。
【００４９】
次に、自動機は、下段の端子収容室１１Ｌに収容されるインナー端子６０を端子挿入口１３から挿入することによって下段の端子収容室１１Ｌにインナー端子６０を収容する（図８（ｇ）参照）。
ここでは、下段の端子収容室１１Ｌに収容されるインナー端子６０が端末部に取り付けられた２本の電線５０は、屈曲されていない直線状の状態に戻されている。このため、下段の端子収容室１１Ｌに収容されるインナー端子６０は、容易に端子挿入口１３から端子収容室１１Ｌ内に収容される。
また、インナー端子６０の相手端子接続部６１が円筒状であるため、方向性を気にすることなく端子挿入口１３から端子収容室１１Ｌ内にインナー端子６０を挿入することができる。
【００５０】
次に、自動機は、上方に屈曲された電線５０を上方に屈曲された状態から屈曲されていない直線状の状態に戻しつつ、上段側端子収容用開口１４から上段の端子収容室１１Ｕにインナー端子６０を収容する（図８（ｈ）参照）。
ここで、上段側端子収容用開口１４が下段の端子収容室１１Ｌのインナー端子６０の端子挿入口１３側となる一端面から対向する他端面を構成する前端壁１０ｃまで内部にインナー端子６０を収容可能に開放されている。
このため、電線５０を上方に屈曲された状態から屈曲されていない直線状の状態に戻すことによって、インナー端子６０は、インナーハウジング１０の上面側から上段側端子収容用開口１４を介して容易に端子収容室１１Ｕ内に収容される。
また、インナー端子６０の相手端子接続部６１が円筒状であるため、方向性を気にすることなく上段側端子収容用開口１４から端子収容室１１Ｕ内にインナー端子６０を挿入することができる。
【００５１】
次に、自動機は、インナーハウジング１０にシールド端子２０を取り付ける（図９、図１０参照）。
ここで、インナーハウジング１０の外周がシールド端子本体２１に覆われることによって、各上段側端子収容用開口１４が塞がれる。
また、シールド圧着部２２がシールド電線４０の露出された編組４１ｂに圧着される。
【００５２】
その後、アウターハウジング３０内にシールド端子２０が取り付けられた状態のインナーハウジング１０が組み込まれ、アウターハウジング３０の電線引き出し口３０ａにホルダー３５によってゴム栓３６が固定されることによってシールドコネクタ１が完成される。
【００５３】
本発明の実施例に係るシールドコネクタ１は、上段の端子収容室１１Ｕに収容するインナー端子６０が取り付けられた電線５０を上方に屈曲させた状態で、下段の端子収容室１１Ｌにインナーハウジング１０の一端面の端子挿入口１３からインナー端子６０を電線５０を略直線状にして収容することができ、下段の端子収容室１１Ｌにインナー端子６０を収容した後には、上方に屈曲された電線５０を屈曲されていない直線状の状態に戻しつつ、上段側端子収容用開口１４から上段の端子収容室１１Ｕにインナー端子６０を収容することができるので、電線５０が被覆材４１から露出された部分の長さが短くても複雑な工程を行うことなく、下段の端子収容室１１Ｌに収容するインナー端子６０が取り付けられた各電線５０を直線状の状態でインナー端子６０を対応する下段の端子収容室１１Ｌに収容することができ、上段の端子収容室１１Ｕに収容するインナー端子６０が取り付けられた各電線５０を同方向、かつ、１箇所のみ屈曲させるだけで、インナー端子６０を対応する上段の端子収容室１１Ｕに収容することができるので、結果的に、組立工程の自動化を容易に行うことができる。
【００５４】
また、本発明の実施例に係るシールドコネクタ１は、インナー端子６０の相手端子接続部６１が円筒状をなしているので、相手端子接続部６１の外周方向の方向性を気にせず複数のインナー端子６０を対応する端子収容室６０に収容することができるので、結果的に、組立工程の自動化を容易に行うことができる。
【００５５】
また、本発明の実施例に係るシールドコネクタの組立方法は、電線屈曲工程にて、複数の電線５０のうち、インナーハウジング１０の上段の端子収容室１１Ｕに収容されるインナー端子が取り付けられた電線５０を上方に屈曲した状態で、下段端子収容工程にて上方に屈曲されず直線状の状態の電線５０に取り付けられたインナー端子６０を端子挿入口１３から挿入することによって下段の端子収容室１１Ｌに収容することができ、上段端子収容工程にて、電線屈曲工程にて上方に屈曲された電線５０を上方に屈曲された状態から屈曲されていない直線状の状態に戻しつつ、上段側端子収容用開口１４から上段の端子収容室１１Ｕにインナー端子６０を収容することができるので、電線５０が被覆材４１から露出された部分の長さが短くても複雑な工程を行うことなく、上段の端子収容室１１Ｕに収容するインナー端子６０が取り付けられた各電線５０を同方向、かつ、１箇所のみ屈曲させるだけで、複数のインナー端子６０を対応する端子収容室に収容することができ、結果的に、組立工程の自動化を容易に行うことができる。
【００５６】
また、本発明の実施例に係るシールドコネクタの組立方法は、上段端子取付工程にて、下段の端子収容室１１Ｌに収容されるインナー端子６０を取り付ける電線５０を下方に屈曲させ、電線屈曲工程にて、上段の端子収容室１１Ｌに収容されるインナー端子６０が取り付けられた電線５０を上方に屈曲させ、下段端子取付工程にて、下方に屈曲された電線５０を直線状に戻し、上段端子収容工程にて、上方に屈曲された電線５０を上方に屈曲された状態から屈曲されていない直線状の状態に戻すという、各電線５０を同方向、かつ、１箇所のみ屈曲させる動作を繰り返すだけで、複数の電線５０の端末部にインナー端子を取り付け、複数のインナー端子６０を対応する端子収容室１１にそれぞれ収容するという一連の動作を可能にしているので、結果的に、組立工程の自動化を容易に行うことができる。
【００５７】
なお、本発明の実施例に係るシールドコネクタ１は、インナーハウジング１０が上下２段に４つの端子収容室１１を有してなるものを例示したが、端子収容室１１の数は４つに限らず、上下２段に設けられていれば、その他の数であっても構わない。
【００５８】
また、本発明の実施例に係るシールドコネクタ１は、インナー端子６０の相手端子接続部６１が円筒状であるものを例示したが、これに限らず、その他の形状であっても構わない。例えば、相手端子接続部６１が角筒形状であってもよい。
【００５９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６０】
１          シールドコネクタ
１０        インナーハウジング
１０ａ      底壁
１０ｂ      側壁
１０ｃ      前端壁（他端面を構成する壁）
１０ｄ      隔壁
１１、１１Ｌ、１１Ｕ  端子収容室
１２        相手端子挿入口
１３        端子挿入口
１４        上段側端子収容用開口
１５        端子保持部
１５ａ      段差壁部
１５ｂ      曲面状凹部
２０        シールド端子
２１        シールド端子本体
２２        シールド圧着部
２２ａ      バレル片
３０        アウターハウジング
３０ａ      電線引き出し口
３１        フード部
３２        シール部材保持収容部
３３        ホルダーロック部
３４        ロックアーム部
３５        ホルダー
３６        ゴム栓
４０        シールド電線
４１        被覆材
４１ａ      金属箔（シールド材）
４１ｂ      編組（シールド材）
４１ｃ      絶縁被覆材（絶縁材）
５０        電線
５１        導体部
５２        絶縁被覆材
６０        インナー端子
６１        相手端子接続部
６２        圧着部
６３        繋ぎ部
１００      車載カメラ
１１０      接続相手コネクタ
１２０      コネクタ部
１２１      被ロック部
１３０      カメラ収容部
１３１      部品取付部
１３２      カメラカバー部
１４０      パッキン
２００      加締装置
２１０      クリンパ
２２０      アンビル
【図１】
0006360520.tif 000002
【図２】
0006360520.tif 000003
【図３】
0006360520.tif 000004
【図４】
0006360520.tif 000005
【図５】
0006360520.tif 000006
【図６】
0006360520.tif 000007
【図７】
0006360520.tif 000008
【図８】
0006360520.tif 000009
【図９】
0006360520.tif 000010
【図１０】
0006360520.tif 000011